(57)【要約】【課題】ファゴットにハンドレストを固定するためのハンドレスト固定具において、既存のハンドレストを用いて演奏者に合った楽な持ち方ができるようにすること。【解決手段】ファゴット５１に固定される基台部２１と、ハンドレスト５２の軸部５２ｂを保持する保持部３１とを有し、ハンドレスト５２をファゴット５１の側面から突出した状態に固定するハンドレスト固定具１１であって、基台部２１にはボールジョイント４１を構成するボール４２が形成され、保持部３１には、ボール４２を受けるボール受け４３が形成されて、保持部３１が基台部２１に対して水平方向および垂直方向に連続的に向きを変更し適宜位置で保持部３１の向きを固定できるようにしたハンドレスト固定具１１。【選択図】図４
2008139766.tif 000002
【特許請求の範囲】
【請求項１】
ファゴットに固定される基台部と、ハンドレストの軸部を保持する保持部とを有し、ハンドレストをファゴットの側面から突出した状態に固定するハンドレスト固定具であって、
上記基台部と保持部との間に、保持部の向きを水平方向および垂直方向に変更するボールジョイントが設けられ、
該ボールジョイントには、保持部の向きを固定する向き固定手段が備えられた
ハンドレスト固定具。
【請求項２】
前記ボールジョイントが、ボール形状のボールと、該ボールの表面上を動くボール受けとで構成され、
ボールが基台部に、ボール受けが保持部にそれぞれ設けられるとともに、
ボール受けには、ボールを締め付けて保持部の向きを固定する前記向き固定手段が備えられた
請求項１に記載のハンドレスト固定具。
【請求項３】
前記向き固定手段が、保持部を有する側に設けられた
請求項１に記載のハンドレスト固定具。
【請求項４】
前記保持部が筒状に形成されるとともに、
該保持部と前記ボール受けとに一連のスリットが形成され、該スリットの幅を狭めて、ハンドレストの軸部の固定とボール上での保持部の向きの固定とを同時に行う双方固定手段が設けられた
請求項２に記載のハンドレスト固定具。
【請求項５】
前記保持部が、ボールジョイントの中心を通る軸からずれた位置に設けられた
請求項１から請求項４のうちのいずれか一項に記載のハンドレスト固定具。
【発明の詳細な説明】
【技術分野】
【０００１】
この発明は、木管楽器のファゴットに使用するのに好適なハンドレスト固定具に関する。なお、ファゴットとは、バスーン、バズーンも呼ばれるダブルリード楽器であり、この発明でいう「ファゴット」は、フランス式のフレンチ・バッソン（バッソン）や、コントラファゴット（ダブルバスーン）、ファゴッティーノ（クイントファゴット、テナルーン）等を含む意味である。
【背景技術】
【０００２】
ファゴット５１は、全長１．５m程もある長大な楽器であり、左右の手で持って演奏されるものである（図１０参照）。演奏に際して、左手はファゴット５１の長さ方向の中間部を、右手はファゴット５１の下部を持ち、この状態で両手の指１０本をすべて使って演奏する。右手で持つ部分には、５本の指を使える状態でファゴット５１を支えられるようにすべくハンドレスト５２が固定されている。ハンドレスト５２は、右手の親指と人差し指の間に当たるもので（図１０（ｂ）参照）、ファゴット５１の側面から真っ直ぐ立つように突出している。
【０００３】
上述のようにファゴット５１は、長大な楽器であるので重く、両手だけで支えながら演奏することはできない。このため、首にかけたストラップやシートストラップを用いて演奏者にかかる負担がなるべく少なくなるように工夫がなされる。しかしそれでも、負担を無くすことは難しい。
【０００４】
このため、演奏者にかかる負担を極力すくなくするように演奏者個人に適した形のオリジナルのハンドレスト５２を作ることが行われてきた（図１０（ａ）参照）。手の大きさや、指の長さ、太さ、向きなど、身体的に条件がまったく同一の人間は存在しないからである。
【０００５】
しかし、オリジナルのハンドレスト５２を製作しても、真に身体に合った持ち方を実現することは難しい。手の形状のほか、ファゴット５１を持つ角度や姿勢、体との位置関係など、様々な要因が、演奏しやすさに関わるからである。つまり、独自の形状のハンドレストを製作しても、様々な要因のうちの一部を満たすことができるだけであった。
【０００６】
このため、腱鞘炎等になる演奏者は少なくなかった。
【０００７】
これまで、向き変更可能にハンドレストを固定する固定具は存在しない。
【０００８】
なお、下記特許文献１に開示されているように、木管楽器の重さを、親指ではなく、親指と人差し指の間で支持するようにしたハンドレストが提案されている。親指で支えるべきところを手の他の部分で支えるようにしているので、このハンドレストは、クラリネットやオーボエのためのものであることが分かる。その構成は、親指で荷重を支えなくとも済むようにするための特異な形態のハンドル部分を有したもので、楽器に巻き付ける締結ループとの間に設けられた複数個の調整部材で調整を行うことで楽器の位置を調整する構造である。
【０００９】
しかし、このような構成では、オリジナルのハンドレストなど既存のハンドレストを使用できない、ファゴットのような長大な楽器を支えられない、調整が複雑である、調整部材の形態が全体としてＬ字形をなすのでバランスが良くなく却って肩等の他の部位に負担がかかってしまうなどのマイナス面がある。
【特許文献１】特表２００４−５０１３８６号公報
【発明の開示】
【発明が解決しようとする課題】
【００１０】
そこで、この発明は、演奏者に合った楽な持ち方ができるようにすることを主たる課題とする。
【課題を解決するための手段】
【００１１】
そのための手段は、ファゴットに固定される基台部と、ハンドレストの軸部を保持する保持部とを有し、ハンドレストをファゴットの側面から突出した状態に固定するハンドレスト固定具であって、上記基台部と保持部との間に、保持部の向きを水平方向および垂直方向に変更するボールジョイントが設けられ、該ボールジョイントには、保持部の向きを固定する向き固定手段が備えられたハンドレスト固定具である。
【００１２】
すなわち、基台部をファゴットの所定の位置に固定して使用する。使用に際しては所望のハンドレストの軸部を保持部に保持させて、ファゴットを持ちながらハンドレストを持ちやすい状態にする。ボールジョイントは、保持部の向きを水平方向および垂直方向に連続的に変更にでき、いわば３６０度の自由度があり、微調整も可能である。持ちやすい状態にしてから、向き固定手段を操作して、保持部の向きを固定すれば、ハンドレストを身体に合った状態で固定することができる。
【発明の効果】
【００１３】
以上のように、この発明によれば、ハンドレストの形状によるほか、ハンドレストの固定向き等によっても演奏者に適した持ち方を実現できる。この結果、これまで不可能であった楽な持ち方ができ、演奏が快適に、しかも身体に負担をかけることなく行える。
【００１４】
また、長大な楽器であるファゴットでも確実に支えられるとともに、調整は保持部の向きを変えればよいので、調整作業は簡単である。そのうえ、ボールジョイントを用いているので、ユニバーサルジョイントを用いた場合に比してコンパクトに形成できて、楽器の演奏に支障をきたすことのない小さな形態に製造できる。しかも構成も簡素であるので、安価に製造することも可能である。
【発明を実施するための最良の形態】
【００１５】
この発明を実施するための一形態を、以下図面を用いて説明する。  
図１は、ハンドレスト固定具１１（以下、「固定具」という）の斜視図であり、この固定具１１は、たとえば図２に示したような既存の、又は新たに製作したハンドレスト５２をファゴット５１（図１０参照）に固定するためのものである。
【００１６】
ハンドレスト５２は、手の親指と人差し指の間が当たる本体部５２ａの下に、外周面にねじを有する軸部５２ｂを備えた構成であり、演奏者によって本体部５２ａの形状も材質も異なるものである。
【００１７】
固定具１１は、このようなハンドレスト５２をファゴット５１の側面に固定すべく、ファゴット５１の側面に固定される基台部２１と、ハンドレスト５２の軸部５２ｂを保持する筒状の保持部３１とを有する。そして、これら基台部２１と保持部３１との間に、ボールジョイント４１が設けられている。
【００１８】
基台部２１は、図１、図２、図３に示したように、ファゴット５１の側面に固定できるように湾曲した板状の固定面部２２を有する。固定面部２２には、ファゴット５１に対する固定のための透孔２２ａが形成され、止めねじ（図示せず）の挿入に備える。
【００１９】
そして、固定面部２２の上面には、ボールジョイント４１の一方を構成するボール形状のボール４２が一体に形成されている。
【００２０】
このボール４２に嵌合し、ボール４２の表面上を動くボール受け４３（ボールジョイント４１の他方）は、略半球状の椀形に形成され、保持部３１の下端に一体形成されている。ボール受け４３の側面には、適宜幅のスリット４３ａが形成されるとともに、このスリット４３ａを挟むように外方に突出する２枚の突片４４，４４が設けられている。これら突片４４，４４には、ねじ部材４５が保持され、ねじ部材４５を締め付けるとボール受け４３のボール４２上での向き、すなわち保持部３１の向きを固定できるように構成されている。これらスリット４３ａと突片４４とねじ部材４５が、保持部３１の向きを固定する向き固定手段を構成する。
【００２１】
また、保持部３１の側面には、内周面に雌ねじ（図示せず）を有するねじ管３２が一体に形成されている。このねじ管３２には、保持部３１に差し込まれたハンドレスト５２の軸部５２ｂを締め付けて適宜高さに固定する締め付け部材３３が着脱可能に保持される。
【００２２】
このように構成された固定具１１は、基台部２１をファゴット５１の所望位置に固定するとともに、ハンドレスト５２を取り付けて使用される。
【００２３】
使用に当たっては、ファゴット奏者が楽にファゴット５１を持てるように、ハンドレスト５２の向き等を調整する。調整は次のように行う。
【００２４】
まず、ハンドレスト５２の軸部５２ｂを固定具１１の保持部３１に固定する。つづいて、ファゴット５１を演奏するときのように持って、より持ちやすい状態にしてハンドレスト５２の向き等を決める。ハンドレスト５２は、図４に示したようにあらゆる方向に動くので、必ず適した位置に設定できる。ハンドレスト５２を適した向きにしてからボールジョイント４１のねじ部材４５を締め付けて、その状態を保持する。また、ハンドレスト５２の高さは、別途、締め付け部材３３を利用して調整する。
【００２５】
このような調整は、座って演奏する場合、立って演奏する場合、それぞれに応じて行える。  
以上のように、使用するハンドレスト５２の形状によるほか、ハンドレスト５２の固定向き等によっても演奏者に適したバランスの良い持ち方を実現できる。
【００２６】
この結果、これまで不可能であった楽な持ち方ができ、身体に負担をかけることがなくなるので、たとえば腱鞘炎などの不具合が発生することを防止できる。しかも、演奏が快適に行えることになるので、音色や上達の速度にも良い影響を得ることができる。
【００２７】
また、基台部２１と保持部３１との間にボールジョイント４１を介装した構成であり、小型に形成できるので、バランスよくファゴット５１の重量を支えることができる。このため、長大な楽器であるファゴット５１でも確実に支えられる。
【００２８】
そのうえ、調整は保持部３１の向きを変えてからその状態で固定すればよいので、調整作業は簡単である。
【００２９】
また、調整作業に際して保持部３１の向きを固定する作業は、保持部３１側に設けられたボール受け４３のねじ部材４５を操作するだけであるので、ねじ部材４５の操作は、３６０度いずれの方向からも行える。このため、操作しやすい方向から固定作業ができて簡単である。
【００３０】
また、ユニバーサルジョイントを用いた場合に比してコンパクトに形成できて、ファゴット５１の演奏に支障をきたすことのない小さな形態に製造できる。しかも構成も簡素であるので、安価に製造することも可能である。
【００３１】
以下、その他の形態について説明する。この説明において、上記の構成と同一または同等の部位についてはそれと同一の符号を付してその詳しい説明を省略する。
【００３２】
図５は、保持部３１の位置を、ボールジョイント４１の中心を通りハンドレスト５２の取り付け方向に延びる軸４１ａからずれた位置に設定した例に係る固定具１１の側面図である。このように保持部３１がボールジョイント４１の中心（軸４１ａ）からずれた位置に設けられると、ボールジョイント４１のボール受け４３を水平方向において回転させれば、保持部３１の位置が変化する。このため、動かす範囲を広くすることができる。
【００３３】
図６は固定具１１の斜視図、図７はその一部断面図であって、この固定具１１は、一箇所の操作で、ハンドレスト５２の軸部５２ｂの固定とボール４２上での保持部３１の向きの固定とが同時に行えるようにしたものである。すなわち、保持部３１とボール受け４３とに、上下方向に連続する１本のスリット４６が形成され、該スリット４６を挟むように形成された２枚の突片４４，４４に１本のねじ部材４５が保持されている。また、保持部３１の内周面には、筋状をなす多数本の凹凸３１ａが形成され、差し込まれたハンドレスト５２の軸部５２ｂを滑り止めするように設定されている。
【００３４】
このように構成された固定具１１では、ハンドレスト５２の軸部５２ｂを保持部３１に差し込んで、保持部３１に対する水平方向での向きも差込深さも積極的に力を加えると変更できる状態（かたさ）になるようねじ部材４５を締めてから、ハンドレスト５２の向き等を調整した上で、ねじ部材４５を締め付けると、ハンドレスト５２の軸部５２ｂも、ボール受け４３のボール４２上での位置も同時に固定できる。しかも、ねじ部材４５を保持する突片４４は、いずれの方向にも向けることができる。このため、調整作業が簡易迅速に行える。
【００３５】
また、ねじ管３２と締め付け部材３３は不要であり、構造の簡素化やコストの低減を図ることが可能となる。
【００３６】
図８は、ボール４２が保持部３１側に設けられ、ボール受け４３が基台部２１側に設けられた例を示す断面図である。
【００３７】
すなわち、保持部３１は筒状に形成されるとともに、その下端側は閉じられてボール４２が一体に形成されている。一方、基台部２１は、固定面部２２の上面に、ボール４２を転動可能に受けるボール受け４３が一体に形成されている。このボール受け４３の側面にはスリット４３ａが形成されるとともに、スリット４３ａを挟むように２個の突部４７，４７が設けられ、これら突部４７，４７にねじ部材４５が保持されている。突部４７を、ねじ部材４５の頭部を埋没させられる厚さに設定すれば、ねじ部材４５の存在を目立たなくすることができてよい。
【００３８】
このような構成の固定具１１では、基台部２１のボール受け４３に設けられたねじ部材４５を操作することで保持部３１の向きの固定ができる。
【００３９】
図９は、図８に示した固定具１１のボール受け４３が水平方向に回転するように固定された例である。すなわち、固定面部２２の上面には、水平方向に張り出す部分を有した抜け止め突起２３が設けられ、この抜け止め突起２３には、抜け止め突起２３をつかむように取り付けられて回転可能となる別体のボール受け４３が設けられている。このように、ボールジョイント４１の構成部分は、基台部２１や保持部３１と別体であるもよい。
【００４０】
このような構成の固定具１１では、ボール受け４３が回転可能であるので、保持部３１の向き固定のためのねじ部材４５の操作が、操作しやすい位置で行え、調整作業が容易である。
【００４１】
この発明の構成と、上記一形態の構成との対応において、  
この発明の向き固定手段は、スリット４３ａ、突片４４又は突部４６、及びねじ部材４５に対応し、  
双方固定手段は、スリット４６、突片４４及びねじ部材４５に対応するも、  
この発明は、上記構成のみに限定されるものではなく、その他の形態を採用することができる。
【図面の簡単な説明】
【００４２】
【図１】ハンドレスト固定具の斜視図。
【図２】ハンドレスト固定具の側面図。
【図３】ハンドレスト固定具の平面図。
【図４】作用状態の側面図。
【図５】他の例に係るハンドレスト固定具の側面図。
【図６】他の例に係るハンドレスト固定具の斜視図。
【図７】図６のハンドレスト固定具の一部断面図
【図８】他の例に係るハンドレスト固定具の一部断面図。
【図９】他の例に係るハンドレスト固定具の一部断面図。
【図１０】従来技術の説明図。
【符号の説明】
【００４３】
１１…ハンドレスト固定具
２１…基台部
３１…保持部
４１…ボールジョイント
４１ａ…軸
４２…ボール
４３…ボール受け
４３ａ…スリット
４４…突片
４５…ねじ部材
４６…スリット
４７…突部
５１…ファゴット
５２…ハンドレスト
５２ｂ…軸部
【図１】
2008139766.tif 000003
【図２】
2008139766.tif 000004
【図３】
2008139766.tif 000005
【図４】
2008139766.tif 000006
【図５】
2008139766.tif 000007
【図６】
2008139766.tif 000008
【図７】
2008139766.tif 000009
【図８】
2008139766.tif 000010
【図９】
2008139766.tif 000011
【図１０】
2008139766.tif 000012